【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
アクセスポイントによるワイヤレス通信の方法であって、
局から電力制御パラメータを受信するステップであって、前記電力制御パラメータは、前記局のダイナミック電力レンジ、前記局の絶対送信電力精度、前記局の相対送信電力精度、前記局の送信電力ステップサイズ、1つもしくは複数の変調およびコーディング方式(MCS)に関連付けられる最大送信電力、前記1つもしくは複数のMCSに関連付けられる最小送信電力、1つもしくは複数のリソースユニット(RU)サイズに関連付けられる最大送信電力、または1つもしくは複数のRUサイズに関連付けられる最小送信電力のうちの少なくとも1つを含む、ステップと、
前記アクセスポイントにおいて受信されるアップリンク送信のためのターゲット受信機電力レベルを決定するステップと、
アップリンクマルチユーザ多入力多出力(UL MU-MIMO)送信またはアップリンク直交周波数分割多元接続(UL OFDMA)送信のために、前記決定されたターゲット受信機電力レベルに基づいてアップリンク電力制御情報を決定するステップであって、前記アップリンク電力制御情報は、前記受信された電力制御パラメータに基づいて決定される、ステップと、
前記決定されたアップリンク電力制御情報およびフレームを送信するために使用されたダウンリンク送信電力を含む前記フレームを、アップリンク送信のために前記アクセスポイントによってスケジュールされた前記局に送信するステップと
を含む、方法。
【請求項２】
前記アップリンク電力制御情報は、スケジュールされた各局によって使用されるべきMCS、スケジュールされた各局のアップリンク経路損失、スケジュールされた各局に関する最大送信電力、スケジュールされた各局に関する最小送信電力、同じリソースユニット(RU)上でアップリンク送信のためにスケジュールされた局の数、スケジュールされた各局に関する送信履歴、およびRUサイズのうちの1つまたは複数に基づいて決定される、請求項1に記載の方法。
【請求項３】
前記決定されたアップリンク電力制御情報は、前記決定されたターゲット受信機電力レベル、送信電力レベル、または以前の送信からの相対電力レベル変化を含む、請求項1に記載の方法。
【請求項４】
前記局からアップリンクシングルユーザ(UL SU)送信を受信するステップであって、前記UL SU送信は、前記UL SU送信を送信するために使用された第1の送信電力を含む、ステップと、
前記受信されたUL SU送信に基づいて前記局からのアップリンク経路損失を推定するステップと、
較正メッセージを送信するために使用された第2の送信電力および前記推定アップリンク経路損失を含む前記較正メッセージを前記局に送信するステップであって、前記較正メッセージは、誤差補正ファクタの計算を可能にする、ステップと
をさらに含む、請求項1に記載の方法。
【請求項５】
前記局にメッセージを送信するステップであって、前記メッセージは、前記メッセージを送信するために使用された第1の送信電力を含む、ステップと、
前記局から確認応答メッセージを受信するステップであって、前記確認応答メッセージは、前記確認応答メッセージを送信するために使用された第2の送信電力および前記送信されたメッセージに基づく推定ダウンリンク経路損失を含む、ステップと、
前記受信された確認応答メッセージに基づいて誤差補正ファクタを推定するステップと
をさらに含む、請求項1に記載の方法。
【請求項６】
前記送信されたフレームにおける前記決定されたアップリンク電力制御情報に基づくUL MU MIMO送信またはUL OFDMA送信を前記局から受信するステップをさらに含む、請求項1に記載の方法。
【請求項７】
前記決定されたターゲット受信機電力レベルと前記UL MU MIMO送信または前記UL OFDMA送信の受信電力レベルとの間の差を判断するステップと、
前記判断された差に基づいて前記ターゲット受信機電力レベルを調整するステップと
をさらに含む、請求項6に記載の方法。
【請求項８】
ワイヤレス通信のためのアクセスポイントであって、
局から電力制御パラメータを受信するための手段であって、前記電力制御パラメータは、前記局のダイナミック電力レンジ、前記局の絶対送信電力精度、前記局の相対送信電力精度、前記局の送信電力ステップサイズ、1つもしくは複数の変調およびコーディング方式(MCS)に関連付けられる最大送信電力、前記1つもしくは複数のMCSに関連付けられる最小送信電力、1つもしくは複数のリソースユニット(RU)サイズに関連付けられる最大送信電力、または1つもしくは複数のRUサイズに関連付けられる最小送信電力のうちの少なくとも1つを含む、手段と、
前記アクセスポイントにおいて受信されるアップリンク送信のためのターゲット受信機電力レベルを決定するための手段と、
アップリンクマルチユーザ多入力多出力(UL MU-MIMO)送信またはアップリンク直交周波数分割多元接続(UL OFDMA)送信のために、前記決定されたターゲット受信機電力レベルに基づいてアップリンク電力制御情報を決定するための手段であって、前記アップリンク電力制御情報は、前記受信された電力制御パラメータに基づいて決定される、手段と、
前記決定されたアップリンク電力制御情報およびフレームを送信するために使用されたダウンリンク送信電力を含む前記フレームを、アップリンク送信のために前記アクセスポイントによってスケジュールされた前記局に送信するための手段と
を含む、アクセスポイント。
【請求項９】
局によるワイヤレス通信の方法であって、
アクセスポイントに電力制御パラメータを送信するステップであって、前記電力制御パラメータは、前記局のダイナミック電力レンジ、前記局の絶対送信電力精度、前記局の相対送信電力精度、前記局の送信電力ステップサイズ、1つもしくは複数の変調およびコーディング方式(MCS)に関連付けられる最大送信電力、前記1つもしくは複数のMCSに関連付けられる最小送信電力、1つもしくは複数のリソースユニット(RU)サイズに関連付けられる最大送信電力、または1つもしくは複数のRUサイズに関連付けられる最小送信電力のうちの少なくとも1つを含む、ステップと、
前記アクセスポイントからフレームを受信するステップであって、前記フレームは、前記フレームを送信するために使用されたダウンリンク送信電力、およびアップリンクマルチユーザ多入力多出力(UL MU-MIMO)送信またはアップリンク直交周波数分割多元接続(UL OFDMA)送信のための、前記アクセスポイントにおけるターゲット受信機電力レベルに関連付けられる、アップリンク電力制御情報を含み、前記受信されたアップリンク電力制御情報は、前記送信された電力制御パラメータに基づく、ステップと、
前記受信されたアップリンク電力制御情報に基づいて送信電力を決定するステップと、
前記決定された送信電力に基づいて前記アクセスポイントに第2のフレームを送信するステップと
を含む、方法。
【請求項１０】
前記決定されたアップリンク電力制御情報は、前記決定されたターゲット受信機電力レベル、送信電力レベル、または以前の送信からの相対電力レベル変化を含む、請求項9に記載の方法。
【請求項１１】
前記送信電力を前記決定するステップは、
前記受信されたフレームにおいて示されているダウンリンク送信電力に基づいて前記局と前記アクセスポイントとの間の経路損失を判断するステップと、
前記判断された経路損失および前記アップリンク電力制御情報に基づいて前記送信電力を計算するステップと
をさらに含む、請求項9に記載の方法。
【請求項１２】
ワイヤレス通信のための局であって、
アクセスポイントに電力制御パラメータを送信するための手段であって、前記電力制御パラメータは、前記局のダイナミック電力レンジ、前記局の絶対送信電力精度、前記局の相対送信電力精度、前記局の送信電力ステップサイズ、1つもしくは複数の変調およびコーディング方式(MCS)に関連付けられる最大送信電力、前記1つもしくは複数のMCSに関連付けられる最小送信電力、1つもしくは複数のリソースユニット(RU)サイズに関連付けられる最大送信電力、または1つもしくは複数のRUサイズに関連付けられる最小送信電力のうちの少なくとも1つを含む、手段と、
前記アクセスポイントからフレームを受信するための手段であって、前記フレームは、前記フレームを送信するために使用されたダウンリンク送信電力、およびアップリンクマルチユーザ多入力多出力(UL MU-MIMO)送信またはアップリンク直交周波数分割多元接続(UL OFDMA)送信のための、前記アクセスポイントにおけるターゲット受信機電力レベルに関連付けられる、アップリンク電力制御情報を含み、前記受信されたアップリンク電力制御情報は、前記送信された電力制御パラメータに基づく、手段と、
前記受信されたアップリンク電力制御情報に基づいて送信電力を決定するための手段と、
前記決定された送信電力に基づいて前記アクセスポイントに第2のフレームを送信するための手段と
を含む局。
【請求項１３】
少なくとも1つのコンピュータに請求項1乃至7または9乃至11のいずれか1項に記載の方法を実行させるための命令を含むコンピュータプログラム。